(57)【要約】【課題】電気品箱の内部において万一火炎が生じたとしても、その火炎が電気品箱の外部に伝播することのない空気調和機を得ること。【解決手段】制御基板１０、端子台１１等が収納される樹脂製の収納部１２の外周面に設けた係止爪２０を、板金製のケース１３の外周に設けた係止穴２１に係合させて収納部の外周面をケースで覆い、カバー１４の外周面に設けた係止爪２２を蓋体１５の外周に設けた係止穴２３に係合させてカバーの外周面を蓋体で覆い、収納部を覆うケースの開口部の開口縁の一部を蓋体で覆われたカバーの開口部の開口縁で覆うように組み付け、収納部及びケースとカバー及び蓋体を固着手段であるネジで固定して電気品箱８を形成し、蓋体の開口端とケースの開口端との間に蓋体の開口縁とケースの開口縁とが重合した所定の長さの火炎伝播阻止路３１を形成したものである。【選択図】図７
2011106753.tif 000002
【特許請求の範囲】
【請求項１】
室内機の本体内に熱交換器と、送風機と、電気品箱を備える壁掛け形の空気調和機において、
前記電気品箱は、制御基板、端子台等が収納され、外周面に係止爪を設けた開口部を有する樹脂製の収納部と、
外周に前記収納部の係止爪と係合する係止穴を設けた開口部を有する板金製のケースと、
外周面に係止爪を設けた開口部を有する樹脂製のカバーと、
外周に前記カバーの係止爪と係合する係止穴を設けた開口部を有する板金製の蓋体とを備え、
前記収納部の係止爪を前記ケースの係止穴に係合させて該収納部の外周面を前記ケースで覆い、前記カバーの係止爪を前記蓋体の係止穴に係合させて前記カバーの外周面を前記蓋体で覆い、前記収納部を覆う前記ケースの開口部の開口縁の一部を前記蓋体で覆われた前記カバーの開口部の開口縁で覆うように組み付け、前記収納部及びケースと前記カバー及び蓋体を固着手段で固定し、
前記蓋体の開口端と前記ケースの開口端との間に前記蓋体の開口縁と前記ケースの開口縁とが重合した所定の長さの火炎伝播阻止路を形成したことを特徴とする空気調和機。
【請求項２】
前記ケースの係止穴と前記蓋体の係止穴の位置をそれぞれ重ならないようにずらしたことを特徴とする請求項１記載の空気調和機。
【請求項３】
前記蓋体を板金絞り加工により形成したことを特徴とする請求項１又は２記載の空気調和機。
【請求項４】
前記収納部の係止ツメの開口側に開口端と平行に前記ケースの板厚と同じ高さ寸法のフランジ部を設けたことを特徴とする請求項１〜３のいずれかに記載の空気調和機。
【発明の詳細な説明】
【技術分野】
【０００１】
本発明は、室内機の本体内に熱交換器と、送風機と、電気品箱を備える壁掛け形の空気調和機に関するものである。
【背景技術】
【０００２】
従来の空気調和機は、室内機の本体内に熱交換器と、送風機と、電気品箱を備える壁掛け形の空気調和機の室内機において、前記電気品箱は電装基板が収納された樹脂製の収納部の周りに板金製のケースをはめ込んだ部分と、前記収納部の開口の中央部と上部を覆う板金製の蓋体と、前記収納部の開口の下部を覆う樹脂製のカバーとから構成されており、前記板金製の蓋体は、前記電気品箱のケースに差し込む上部の係合爪と、前記樹脂製のカバーは、前記板金製の蓋体の下部を押さえる係合爪を備えて構成されている（例えば、特許文献１参照）。
【先行技術文献】
【特許文献】
【０００３】
【特許文献１】特開平１０−３３９４７２号公報（第１頁、図２）
【発明の概要】
【発明が解決しようとする課題】
【０００４】
従来の空気調和機は、室内機の本体内の電気品箱の内部において万一電子部品等が燃えると、その火炎により樹脂製の収納部あるいは樹脂製のカバーの係合爪が燃焼して溶け、板金製のケースあるいは板金製の蓋体の係止穴や板金の曲げ合わせ部の隙間から電気品箱周囲の本体や意匠パネル等に火炎が伝播するおそれがあった。
【０００５】
本発明は、上記のような課題を解決するためになされたもので、電気品箱の内部において万一火炎が生じたとしても、その火炎が電気品箱の外部に伝播することのない空気調和機を得ることを目的とする。
【課題を解決するための手段】
【０００６】
本発明に係る空気調和機は、室内機の本体内に熱交換器と、送風機と、電気品箱を備える壁掛け形の空気調和機において、前記電気品箱は、制御基板、端子台等が収納され、外周面に係止爪を設けた開口部を有する樹脂製の収納部と、外周に前記収納部の係止爪と係合する係止穴を設けた開口部を有する板金製のケースと、外周面に係止爪を設けた開口部を有する樹脂製のカバーと、外周に前記カバーの係止爪と係合する係止穴を設けた開口部を有する板金製の蓋体とを備え、前記収納部の係止爪を前記ケースの係止穴に係合させて該収納部の外周面を前記ケースで覆い、前記カバーの係止爪を前記蓋体の係止穴に係合させて前記カバーの外周面を前記蓋体で覆い、前記収納部を覆う前記ケースの開口部の開口縁の一部を前記蓋体で覆われた前記カバーの開口部の開口縁で覆うように組み付け、前記収納部及びケースと前記カバー及び蓋体を固着手段で固定し、前記蓋体の開口端と前記ケースの開口端との間に前記蓋体の開口縁と前記ケースの開口縁とが重合した所定の長さの火炎伝播阻止路を形成したものである。
【発明の効果】
【０００７】
本発明に係る空気調和機によれば、制御基板、端子台等が収納される樹脂製の収納部の外周面に設けた係止爪を、板金製のケースの外周に設けた係止穴に係合させて該収納部の外周面を前記ケースで覆い、カバーの外周面に設けた係止爪を蓋体の外周に設けた係止穴に係合させて前記カバーの外周面を前記蓋体で覆い、前記収納部を覆う前記ケースの開口部の開口縁の一部を前記蓋体で覆われた前記カバーの開口部の開口縁で覆うように組み付け、前記収納部及びケースと前記カバー及び蓋体を固着手段で固定して電気品箱を形成し、前記蓋体の開口端と前記ケースの開口端との間に前記蓋体の開口縁と前記ケースの開口縁とが重合した所定の長さの火炎伝播阻止路を形成したので、収納している制御基板、端子台等からトラッキング等により万一発火した場合に、収納部の係止爪が燃焼し溶けてもケースの係止穴は蓋体によって通常覆れるため、火炎が電気品箱から出ないと共に、火炎伝播阻止路があるため、収納部及びカバーが燃焼し溶けても電気品箱内の火炎が電気品箱の前記収納部及びケースと前記カバー及び蓋体の組み付け部分から出ることを確実に防止でき、室内機の本体、意匠パネル等への延焼を防ぐことができる。
【図面の簡単な説明】
【０００８】
【図１】本発明の実施の形態１の空気調和機の室内機を示す分解斜視図。
【図２】同空気調和機の室内機の本体中央の縦断面図。
【図３】同空気調和機の室内機の電気品箱を示す斜視図。
【図４】同空気調和機の室内機の電気品箱を示す分解斜視図。
【図５】同空気調和機の室内機の電気品箱の収納部とケースの分解斜視図。
【図６】同空気調和機の室内機の電気品箱のカバーと蓋体の分解斜視図。
【図７】同空気調和機の室内機の電気品箱の収納部の係止爪周辺の部分の断面図。
【図８】本発明の実施の形態２の空気調和機の室内機の電気品箱を示す分解斜視図。
【図９】本発明の実施の形態３の空気調和機の室内機の電気品箱のカバーと蓋体の分解斜視図。
【図１０】本発明の実施の形態４の空気調和機の室内機の電気品箱の収納部の係止爪周辺の部分の断面図。
【発明を実施するための形態】
【０００９】
実施の形態１．
図１は本発明の実施の形態１の空気調和機の室内機を示す分解斜視図、図２は同空気調和機の室内機の本体中央の縦断面図、図３は同空気調和機の室内機の電気品箱を示す斜視図、図４は同空気調和機の室内機の電気品箱を示す分解斜視図、図５は同空気調和機の室内機の電気品箱の収納部とケースの分解斜視図、図６は同空気調和機の室内機の電気品箱のカバーと蓋体の分解斜視図、図７は同空気調和機の室内機の電気品箱の収納部の係止爪周辺の部分の断面図である。
図１及び図２に示すように、本発明の実施の形態１の空気調和機はセパレート形で、室内の空気を空調する壁掛け形の室内機と室外機（図示省略）とで構成され、室内機の本体１は前面側に内部の部品を覆う意匠パネル２を有し、天面に室内空気を吸い込む吸込口３を有し、下部前面に熱交換した空気を室内に送る吹出口４を有している。
【００１０】
室内機の本体１内には室内空気を冷却または過熱する熱交換器５と、室内空気を送風する送風機６と、熱交換器５を通過した空気を意匠パネル２の吹出口４へ導く風路を形成するファンケーシング７とが設けられている。
また、図１に示すように、室内機の本体１のファンケーシング７の風路より右側には送風機６等を駆動する電気品箱８が配置されている。
図３及び図４に示すように、電気品箱８は、制御基板１０、端子台１１等を収納するため箱形状の一面を開口させた難燃性樹脂製の収納部１２と、この収納部１２の開口部２４以外の外周面を覆う板金製のケース１３と、ケース１３の開口部以外の外周をその外周よりわずかに大きくして覆っているネジ等で取り外し可能な箱形状の一面を開口させた難燃性樹脂製のカバー１４と、このカバー１４の開口部以外の外周面を覆う板金製の蓋体１５と、端子台１１を覆う難燃性樹脂製の端子台カバー１６とこの端子台カバー１６を覆う板金製の端子台ケース１７とで構成されている。
その端子台１１に内外接続線（図示省略）が接続される。１８は収納部１２に連設され、内外接続線を端子台１１に案内するための接続線案内部材である。
【００１１】
図５に示すように、電気品箱８の収納部１２の開口部以外外周面の二箇所に係止爪２０がそれぞれ設けられており、収納部１２を覆うケース１３の開口部以外の外周の二箇所に収納部１２の係止爪２０に係合する係止穴２１がそれぞれ設けられている。
図６に示すように、カバー１４の開口部以外外周面の二箇所に係止爪２２がそれぞれ設けられており、カバー１４を覆う蓋体１５の開口部以外の外周の二箇所にカバー１４の係止爪２２に係合する係止穴２３が設けられている。
図７に示すように、蓋体１５の開口端とケース１３の係止穴２１側の開口端との間に蓋体１５の開口縁とケース１３の開口縁の部分とが重合した所定の長さの火炎伝播阻止路３１が形成されている。
【００１２】
次に、電気品箱８の組み付けについて説明する。
まず、制御基板１０、端子台１１等が収納される樹脂製の収納部１２の外周面に設けた係止爪２０を、板金製のケース１３の外周に設けた係止穴２１に係合させて収納部１２の外周面をケース１３で覆う。
次に、カバー１４の外周面に設けた係止爪２２を蓋体１５の外周に設けた係止穴２３に係合させてカバー１４の外周面を蓋体１５で覆う。
そして、収納部１２を覆うケース１３の開口部の開口縁の一部を蓋体１５で覆われたカバー１４の開口部の開口縁で覆うように組み付ける。このとき、蓋体１５の開口端とケース１３の係止穴２１側の開口端との間に蓋体１５の開口縁とケース１３の開口縁の部分とが重合した所定の長さの火炎伝播阻止路３１が形成される。
最後に、収納部１２及びケース１３とカバー１４及び蓋体１５を固着手段であるネジで固定して電気品箱８を形成する。
【００１３】
次に、本発明の実施の形態１の空気調和機の室内機の動作について説明する。
室内機の本体１において、電源が投入されると、電気品箱８内の制御基板１０の制御回路により送風機６が駆動し、室内空気は意匠パネル２の吸込口３より本体１内に吸い込まれて熱交換器５を通過して冷却または過熱され、ファンケーシング７を通り、意匠パネル２の吹出口４を介して室内へ吹き出される。
電気品箱８は収納部１２に制御基板１０、端子台１１等を収納し、室内機据付時にネジで固定された端子台ケース１７と一体の端子台カバー１６を収納部１２から取り外し、端子台１１に内外接続線を接続し、再度端子台カバー１６を収納部１２に取り付け、室内機と室外機に電源を供給可能にしている。
【００１４】
また、制御基板１０、端子台１１等に不具合があった場合には、ネジで固定されたカバー１４と一体の蓋体１５を収納部１２から取り外し、収納部１２から制御基板１０、端子台１１等を取り外しできるようになっている。
電気品箱８は収納している制御基板１０、端子台１１等からトラッキング等により万一発火した場合を考慮し、本体１、意匠パネル２等へ延焼しないように樹脂製の収納部１２、カバー１４、端子台カバー１６は難燃性樹脂製とし、さらに収納部１２、カバー１４、端子台カバー１６の外周を板金製のケース１３、蓋体１５、端子台ケース１７でそれぞれ覆っている。
【００１５】
以上のように、実施の形態１では、室内機の電気品箱８を構成する収納部１２、カバー１４、端子台カバー１６は難燃性樹脂製とし、これら収納部１２、カバー１４、端子台カバー１６をそれぞれ覆うケース１３、蓋体１５、端子台ケース１７は板金製とし、収納部１２の係止爪２０と係合するケース１３の係止穴２１は蓋体１５で通常覆っているので、収納している制御基板１０、端子台１１等からトラッキング等により万一発火した場合に、収納部１２の係止爪２０が燃焼し溶けてもケース１３の係止穴２１は蓋体１５によって覆っているため、火炎が電気品箱８から出ず、室内機の本体１、意匠パネル２等への延焼を防ぐことができる。
さらに、蓋体１５の開口端とケース１３の係止穴２１側の開口端との間に蓋体１５の開口縁部分とケース１３の開口縁部分とが重合した所定の長さの火炎伝播阻止路３１が形成されているので、収納部１２及びカバー１４が燃焼し溶けても電気品箱８内の火炎が収納部１２及びケース１３とカバー１４及び蓋体１５の組み付け部分から出ることを確実に防止することができ、室内機の本体１、意匠パネル２等への延焼を防ぐことができる。
【００１６】
実施の形態２．
図８は本発明の実施の形態２の空気調和機の室内機の電気品箱を示す分解斜視図である。
この実施の形態２は、上記実施の形態１と収納部１２の係止爪２０及びケース１３の係止穴２１の位置と、カバー１４の係止爪２２及び蓋体１５の係止穴２３の位置が異なるものである。
上記実施の形態１では、図４に示すように、収納部１２の係止爪２０及びケース１３の係止穴２１の位置と、カバー１４の係止爪２２及び蓋体１５の係止穴２３の位置が水平方向で一直線上に並ぶこともあるが、実施の形態２は、図８に示すように、収納部１２の係止爪２０及びケース１３の係止穴２１の位置と、カバー１４の係止爪２２及び蓋体１５の係止穴２３の位置が水平方向で一直線上に重ならないようにずらしている。
【００１７】
以上のように、実施の形態２では、収納部１２の係止爪２０及びケース１３の係止穴２１の位置と、カバー１４の係止爪２２及び蓋体１５の係止穴２３の位置を水平方向で一直線上にそれぞれ重ならないようにずらしているので、収納部１２に収納している制御基板１０、端子台１１等からトラッキング等により発火すると、この係止爪２０が溶けてケース１３の係止穴２１を通過するが、その係止穴２１の上にはカバー１４があり、そのカバーの上には板金製の蓋体１５があるため、火炎が電気品箱８から出ず、室内機の本体１、意匠パネル２等への延焼を確実に防ぐことができる。
【００１８】
実施の形態３．
図９は本発明の実施の形態３の空気調和機の室内機の電気品箱のカバーと蓋体の分解斜視図である。
この実施の形態３は、上記実施の形態１と蓋体１５の形成方法が異なるものである。
上記実施の形態１では、図６に示すように、板金曲げ加工により形成された蓋体１５により収納部１２の開口部外周を覆っているものであるが、実施の形態３は板金絞り加工により形成された蓋体１５により収納部１２の開口部外周を覆っている。
図９において、３０は収納部１２の開口部外周を覆う蓋体１５の曲がり部分に形成された絞り形状部を示している。
【００１９】
以上のように、実施の形態３では、曲がり部分に絞り形状部３０を有する蓋体１５により収納部１２の開口部外周を覆っているので、収納している制御基板１０、端子台１１等からトラッキング等により発火し収納部１２とカバー１４が溶けても、絞り形状部３０を有する蓋体１５は、板金曲げ加工により形成された蓋体１５のような隙間がないため、火炎が電気品箱８の外部に出て本体１、意匠パネル２他へ延焼することを確実に防ぐことができる。
【００２０】
実施の形態４．
図１０は本発明の実施の形態４の空気調和機の室内機の電気品箱の収納部の係止爪周辺の部分の断面図である。
この実施の形態４は、上記実施の形態１と収納部の係止爪周辺の部分の構成が異なるものである。
上記実施の形態１〜３では、図７に示すように、収納部１２の係止爪２０は金型の基本の抜き方向で構成しているため、収納部１２の開口縁部に開口端と平行にフランジを設けることができず、カバー１４の開口縁の内周側にケース１３の板厚分の凹形状ができるが、実施の形態４は、スライド金型を用いて収納部１２の係止爪２０を形成することにより、収納部１２の係止爪２０の開口縁部に開口端と平行にフランジ部３２を設けることができる。このフランジ部３２は収納部１２の開口縁の外周全体にケース１３の板厚と同じ高さ寸法で形成されている。
【００２１】
以上のように、実施の形態４では、スライド金型により収納部１２の係止爪２０を形成することにより、収納部１２の係止爪２０の開口縁部に開口端と平行にフランジ部３２を設けることができ、この収納部１２のフランジ部３２が設けられることにより、カバー１４の開口縁の内周側の凹形状をフランジ部３２が埋めて火炎伝搬路を構成するので、収納している制御基板１０、端子台１１等からトラッキング等により発火した場合でも、火炎が電気品箱８の外部に出て室内機の本体１、意匠パネル２等へ延焼するというおそれがなくなる。
【符号の説明】
【００２２】
１  本体、２  意匠パネル、３  吸込口、４  吹出口、５  熱交換器、６  送風機、７  ファンケーシング、８  電気品箱、１０  制御基板、１１  端子台、１２  収納部、１３  ケース、１４  カバー、１５  蓋体、１６  端子台カバー、１７  端子台ケース、１８  接続線案内部材、２０  収納部の係止爪、２１  ケースの係止穴、２２  カバーの係止爪、２３  蓋体の係止穴、３０  蓋体の絞り形状部、３１  火炎伝播阻止路、３２  収納部のフランジ部。
【図１】
2011106753.tif 000003
【図２】
2011106753.tif 000004
【図３】
2011106753.tif 000005
【図４】
2011106753.tif 000006
【図５】
2011106753.tif 000007
【図６】
2011106753.tif 000008
【図７】
2011106753.tif 000009
【図８】
2011106753.tif 000010
【図９】
2011106753.tif 000011
【図１０】
2011106753.tif 000012